(57)【特許請求の範囲】
【請求項１】
引越元住居に配置された家財を引越先住居に再配置する場合に、前記家財の搬出順序および搬入順序の決定を支援する引越支援プログラムであって、
前記引越元住居および前記引越先住居における玄関の位置、各部屋の中心位置および各部屋の入口位置を部屋情報として受け付け、該部屋情報を記憶部へ記憶させる部屋情報登録手順と、
前記引越元住居および前記引越先住居の各部屋における前記家財の位置を家財配置情報として受け付け、該家財配置情報を前記記憶部へ記憶させる家財配置情報登録手順と、
前記記憶部から前記部屋情報および前記家財配置情報を読み出し、前記部屋情報における玄関および各部屋の中心位置から求められる距離と、前記部屋情報における各部屋の入口位置および前記家財配置情報における各家財の位置から求められる距離とに基づいて前記家財の搬出順序および搬入順序を決定する決定手順と
をコンピュータに実行させることを特徴とする引越支援プログラム。
【請求項２】
前記決定手順は、
前記家財の搬出順序を決定する場合に、前記玄関からの距離が短い部屋に配置された前記家財を優先し、かつ、前記部屋の入口からの距離が短い位置に配置された前記家財を優先して搬出順序を決定することを特徴とする請求項１に記載の引越支援プログラム。
【請求項３】
前記決定手順は、
前記家財の搬入順序を決定する場合に、前記玄関からの距離が遠い部屋に配置された前記家財を優先し、かつ、前記部屋の入口からの距離が遠い位置に配置された前記家財を優先して搬入順序を決定することを特徴とする請求項１または２に記載の引越支援プログラム。
【発明の詳細な説明】
【０００１】
【発明の属する技術分野】
本発明は、引越の作業支援に用いて好適な引越支援プログラムに関するものであり、特に、引越作業員の熟練度に左右されることなく引越における家財の搬出や搬入を効率的に行うことができる引越支援プログラムに関するものである。
【０００２】
【従来の技術】
従来より、引越を行う場合、引越元住居からの家財の搬出の順序や、引越先住居への家財の搬入の順序を適切に決めることは、滞りなく引越作業を進める上で非常に重要である。実際には、家財の搬出、搬入の順序については、引越元住居および引越先住居の部屋のレイアウトを考慮して、引越業者が引越の当日または前日に決定する場合が多かった。
【０００３】
【発明が解決しようとする課題】
ところで、従来の引越においては、家財の搬出、搬入に関する順序を決定する引越作業員が、引越先住居のレイアウトを実際に確認できることが極めて稀であるため、引越の依頼者から引越先住居での家財の配置に関する希望をヒアリングして上記順序を考えなければならない。
【０００４】
この場合には、ある程度の引越作業の経験が作業員に必要となり、また、ヒアリングで誤解が生じると引越先住居における家財の配置が間違ったものとなるおそれがあった。
【０００５】
また、従来では、引越の依頼者にとって家財の配置を正確に引越作業員に伝えることが難しく、引越当日にイメージした通りの配置が出来ず、家財の並べ替えなどをおこなって、引越作業全体の進捗に支障をきたすことがあった。
【０００６】
また、遠距離の引越の場合には、引越元住居から家財を搬出する引越作業員と、引越先住居に家財を搬入する引越作業員とが異なることがしばしばある。このような場合には、家財の搬出、搬入の順序を引越作業員間で決めておくことが必要である。
【０００７】
しかしながら実際には、搬出、搬入の順序がほとんど未定のまま、引越作業員の経験により引越作業が行われることが多かった。従って、引越を業務とする企業においては、引越作業経験者を常に現場に派遣する必要があり、同日に複数の現場で引越作業が重なると、引越作業の経験者が不足し、引越作業に支障をきたす場合があった。
【０００８】
本発明は、上記に鑑みてなされたもので、引越作業員の熟練度に左右されることなく引越における家財の搬出や搬入を効率的に行うことができる引越支援プログラムを提供することを目的とする。
【０００９】
【課題を解決するための手段】
上記目的を達成するために、本発明は、引越元住居に配置された家財を引越先住居に再配置する場合に、前記家財の搬出順序および搬入順序の決定を支援する引越支援プログラムであって、前記引越元住居および前記引越先住居における玄関の位置、各部屋の中心位置および各部屋の入口位置を部屋情報として受け付け、該部屋情報を記憶部へ記憶させる部屋情報登録手順と、前記引越元住居および前記引越先住居の各部屋における前記家財の位置を家財配置情報として受け付け、該家財配置情報を前記記憶部へ記憶させる家財配置情報登録手順と、前記記憶部から前記部屋情報および前記家財配置情報を読み出し、前記部屋情報における玄関および各部屋の中心位置から求められる距離と、前記部屋情報における各部屋の入口位置および前記家財配置情報における各家財の位置から求められる距離とに基づいて前記家財の搬出順序および搬入順序を決定する決定手順とをコンピュータに実行させることを特徴とする。
【００１０】
この発明によれば、引越元住居および引越先住居における玄関の位置、各部屋の中心位置および各部屋の入口位置を部屋情報として受け付け、受け付けた部屋情報を記憶部へ記憶させるとともに、引越元住居および引越先住居の各部屋における家財の位置を家財配置情報として受け付け、受け付けた家財配置情報を記憶部へ記憶させ、記憶部から部屋情報および家財配置情報を読み出し、部屋情報における玄関および各部屋の中心位置から求められる距離と、部屋情報における各部屋の入口位置および家財配置情報における各家財の位置から求められる距離とに基づいて家財の搬出順序および搬入順序を決定することとしたので、引越作業員の熟練度に左右されることなく引越における家財の搬出や搬入を効率的に行うことができる。
【００１１】
【発明の実施の形態】
以下、図面を参照して本発明にかかる引越支援プログラムの一実施の形態について詳細に説明する。
【００１２】
図１は、本発明にかかる一実施の形態の構成を示すブロック図である。この図において、引越支援装置１００は、引越元住居における家財の搬出の順序や、引越先住居における家財の配置、引越先住居における家財の搬入の順序等を効率を考慮して引越前に決定し、引越の指示書を作成するという引越全般に関する支援を行う装置である。
【００１３】
この引越支援装置１００において、Ｉ／Ｏ（Input／Output）インタフェース部１０１は、引越支援装置１００の各部と表示装置１３０、入力装置１４０および印刷装置１５０との間の入出力に関するインタフェースをとる。表示装置１３０は、ＬＣＤ（Liquid Crystal Display）やＣＲＴ（Cathode Ray Tube）であり、後述する家財情報や部屋情報、家財配置、家財の搬出／搬入順序を指示するための引越指示書等を表示させる。
【００１４】
入力装置１４０は、キーボードやマウス等である。印刷装置１５０は、後述する家財配置画面４００（図９参照）のハードコピーや、引越指示書５００（図１０参照）等をプリントアウトする。
【００１５】
制御部１０２は、各部を制御するものであり、家財情報データベース１１０や部屋情報データベース１２０のアクセス制御等を実行する。家財情報データベース１１０は、引越時に、引越元住居から引越先住居へ搬送される家財の種類、サイズ等に関する家財情報を格納するデータベースである。
【００１６】
具体的には、家財情報データベース１１０は、図２に示したように、「家財ＩＤ（Identification Data）」、「種類」、「長さ」、「幅」および「高さ」というフィールドを備えている。「家財ＩＤ」は、家財を識別するための識別子であり、アルファベットＦと４桁数字（０００１〜９９９９）との組み合わせからなり、自動採番される。
【００１７】
「種類」は、家財の種類（洋タンス、テーブル、電灯、ベッド等）に関する情報である。「長さ」、「幅」および「高さ」は、家財のサイズに関する情報である。家財情報は、引越の依頼者または引越業者により、引越前に設定される。
【００１８】
図１に戻り、部屋情報データベース１２０は、引越元住居および引越先住居のそれぞれについて、部屋のサイズ、中心座標、入口座標、住居外形情報等に関する部屋情報を格納するデータベースである。
【００１９】
具体的には、図３に示したように、部屋情報データベース１２０は、「部屋ＩＤ」、「種類」、「長さ」、「幅」、「高さ」、「中心Ｘ座標」、「中心Ｙ座標」、「入口Ｘ座標」、「入口Ｙ座標」、「玄関Ｘ座標」、「玄関Ｙ座標」および「住居外形情報」というフィールドを備えている。
【００２０】
「部屋ＩＤ」は、部屋を識別するための識別子であり、アルファベットＲまたはＮと４桁数字（０００１〜９９９９）との組み合わせからなり、自動採番される。ここで、アルファベットＲ＋４桁数字からなる「部屋ＩＤ」は、引越元住居の部屋に対応している。一方、アルファベットＮ＋４桁数字からなる「部屋ＩＤ」は、引越先住居の部屋に対応している。
【００２１】
「種類」は、部屋の種類（洋間、和室等）に関する情報である。「長さ」、「幅」および「高さ」は、部屋のサイズに関する情報である。「中心Ｘ座標」および「中心Ｙ座標」は、ＸＹ平面座標系における当該部屋の中心位置を表すＸ座標およびＹ座標である。「入口Ｘ座標」および「入口Ｙ座標」は、ＸＹ平面座標系における当該部屋の入口の位置を表すＸ座標およびＹ座標である。
【００２２】
「玄関Ｘ座標」および「玄関Ｙ座標」は、ＸＹ平面座標系における引越元住居、引越先住居のそれぞれの玄関の位置を表すＸ座標およびＹ座標である。「住居外形情報」は、引越元住居、引越先住居の外形（Ｘ方向幅、Ｙ方向長さ）に関する情報である。ここで、ＸＹ座標系においては、例えば、住居外形の左隅が原点（０,０）、また各部屋の左隅が原点（０,０）とされる。部屋情報は、引越の依頼者または引越業者により、引越前に設定される。
【００２３】
図１に戻り、家財配置部１０３は、図９に示した家財配置画面４００を用いて、引越元住居および引越先住居の各部屋に擬似的に家財を引越の依頼者に配置させる機能を備えている。
【００２４】
引越指示書作成部１０４は、上述した家財情報、部屋情報、家財の配置状況に基づいて、引越元住居における家財の搬出の順序、引越先住居における家財の搬入の順序を決定し、搬出、搬入の順序を指示するための引越指示書５００（図１０参照）を作成する。記憶部１０５は、ＲＯＭ（Read Only Memory）、ＲＡＭ（Random Access Memory）等である。
【００２５】
つぎに、一実施の形態の動作について、図４〜図６に示したフローチャートおよび図７〜図１０を参照しつつ説明する。以下の動作は、引越前に実行される。図４に示したステップＳＡ１では、制御部１０２は、引越元住居から引越先住居へ搬送すべき家財に関する家財情報を入力するための家財情報入力処理を実行する。
【００２６】
具体的には、制御部１０２は、図７に示した家財情報入力画面２００を表示装置１３０に表示させる。この家財情報入力画面２００は、前述した家財情報（図２参照）を引越の依頼者等に入力させるための画面である。引越の依頼者は、家財情報入力部２０１で種類を選択した後、家財の長さ、幅および高さを入力する。なお、家財ＩＤは、自動採番される。
【００２７】
これにより、家財図面表示部２０２には、当該家財の図面（平面図、側面図）が表示される。そして、引越の依頼者により、家財情報の格納指示があると、制御部１０２は、当該家財情報を家財情報データベース１１０に格納する。以後、残りの全ての家財に関して、家財情報が順次入力される。
【００２８】
そして、家財情報入力処理が終了すると、ステップＳＡ２では、制御部１０２は、引越元住居および引越先住居のそれぞれの部屋情報を入力するための部屋情報入力処理を実行する。
【００２９】
具体的には、制御部１０２は、図８に示した部屋情報入力画面３００を表示装置１３０に表示させる。この部屋情報入力画面３００は、前述した部屋情報（図３参照）を引越の依頼者等に入力させるための画面である。
【００３０】
まず、引越の依頼者は、引越元住居に関する住宅外形情報（Ｘ方向幅、Ｙ方向長さ）、玄関Ｘ座標および玄関Ｙ座標を入力する。これにより、部屋情報入力画面３００のＸＹ平面座標系において引越元住居の外形を表す住宅図形３０２が表示される。この住宅図形３０２において、左隅がＸＹ平面座標系の原点Ｏ（０，０）とされる。
【００３１】
つぎに、引越の依頼者は、部屋情報入力部３０１で種類（同図では洋間）を選択した後、当該部屋の長さ、幅および高さ、中心Ｘ座標、中心Ｙ座標、入口Ｘ座標および入口Ｙ座標をそれぞれ入力する。なお、部屋ＩＤは、自動採番される。ここで、中心Ｘ座標および中心Ｙ座標は、当該部屋に対応する部屋図形３０３の中心位置３０４に対応している。また、入口Ｘ座標および入口Ｙ座標は、部屋図形３０３における入口位置３０５に対応している。
【００３２】
なお、一実施の形態では、部屋情報入力部３０１で入力された長さ（Ｙ方向）および幅（Ｘ方向）に対応する部屋図形３０３をＸＹ平面座標系に表示させた後、ドラッグ＆ドロップにより部屋図形３０３を住宅図形３０２の所定位置に移動させるようにしてもよい。
【００３３】
この場合には、引越の依頼者により中心位置３０４および入口位置３０５が指定されることにより、中心Ｘ座標、中心Ｙ座標、入口Ｘ座標および入口Ｙ座標が自動設定される。以後、引越元住居における残りの全ての部屋に関して、部屋情報が順次入力される。
【００３４】
そして、引越元住居の部屋情報の入力が終了した後、引越の依頼者により、部屋情報の格納指示があると、制御部１０２は、引越元住居の部屋情報を部屋情報データベース１２０に格納する。
【００３５】
つぎに、制御部１０２は、上述した引越元住居の場合と同様にして、引越先住居についても部屋情報が入力されると、引越先住居の部屋情報を部屋情報データベース１２０に格納する。
【００３６】
図４に示したステップＳＡ３では、家財配置部１０３は、部屋情報データベース１２０からの部屋情報に基づいて、図９に示した家財配置画面４００を表示装置１３０に表示させる。この家財配置画面４００は、引越元住居図形４０１および引越先住居図形４０４のそれぞれに家財図形を引越の依頼者に配置させるための画面である。
【００３７】
家財配置画面４００において、引越元住居図形４０１は、引越元住居に関する部屋情報（図３参照）に基づく図形であり、部屋４０２、・・・や、玄関４０３のレイアウトをＸＹ平面座標系上で表している。
【００３８】
一方、引越先住居図形４０４は、引越先住居に関する部屋情報（図３参照）に基づく図形であり、部屋４０５、・・・や、玄関４０６のレイアウトをＸＹ平面座標系上で表している。
【００３９】
また、家財配置画面４００の右側には、家財図形４０８、・・・からなる家財図形群４０７が表示されている。この家財図形群４０７は、図２に示した家財情報に対応する家財の図形の集合である。例えば、家財図形４０８は、家財情報データベース１１０（図２参照）における家財ＩＤ＝Ｆ０００１の家財情報（洋タンス）を表している。
【００４０】
ステップＳＡ４では、家財配置部１０３は、引越の依頼者に、入力装置１４０のマウスを用いて、家財図形群４０７から最初の家財図形４０８をドラッグ＆ドロップにより、引越元住居図形４０１の部屋４０２に現状通り配置させる。つぎに、家財配置部１０３は、引越の依頼者に、上記家財図形４０８をドラッグ＆ドロップにより、引越先住居図形４０４の例えば部屋４０５に希望通り配置させる。
【００４１】
ステップＳＡ５では、家財配置部１０３は、家財図形群４０７の全家財図形の配置が終了したか否かを判断し、この場合、判断結果を「Ｎｏ」として、ステップＳＡ４でつぎの家財図形を引越元住居図形４０１および引越先住居図形４０４の双方に配置させる。
【００４２】
そして、全家財図形の配置が終了すると、家財配置部１０３は、ステップＳＡ５の判断結果を「Ｙｅｓ」とする。ステップＳＡ６では、引越指示書作成部１０４は、図９に示した引越元住居図形４０１に配置された各家財図形に基づいて、引越元住居からの家財の搬出順序を決定するための搬出順序決定処理を実行する。
【００４３】
具体的には、図５に示したステップＳＢ１では、引越指示書作成部１０４は、図９に示した引越元住居図形４０１における玄関４０３と各部屋の中心位置との距離をＸＹ平面座標系上でそれぞれ算出する。
【００４４】
ここで、玄関４０３の位置は、部屋情報データベース１２０（図３参照）における玄関Ｘ座標および玄関Ｙ座標で特定される。また、各部屋の中心位置は、部屋情報データベース１２０の中心Ｘ座標および中心Ｙ座標で特定される。
【００４５】
ステップＳＢ２では、引越指示書作成部１０４は、ステップＳＢ１で算出された距離が短い順に、引越元住居における部屋ＩＤをソートする。すなわち、ステップＳＢ２では、玄関から近い順に部屋ＩＤがソートされる。
【００４６】
ステップＳＢ３では、引越指示書作成部１０４は、ステップＳＢ２のソート結果のうち最初の部屋ＩＤに対応する部屋における入口と各家財との距離を算出する。ここで、入口の位置は、部屋情報データベース１２０（図３参照）の入口Ｘ座標および入口Ｙ座標で特定される。また、家財の位置は、図９に示した引越元住居図形４０１に配置された家財図形のＸ座標およびＹ座標から特定される。
【００４７】
ステップＳＢ４では、引越指示書作成部１０４は、ステップＳＢ３で算出された距離が短い順に、当該部屋における家財ＩＤをソートする。すなわち、ステップＳＢ４では、当該部屋における入口から近い順に家財ＩＤがソートされる。ステップＳＢ５では、引越指示書作成部１０４は、引越元住居における全部屋の処理（ステップＳＢ３およびステップＳＢ４）が終了したか否かを判断し、この場合、判断結果を「Ｎｏ」とする。
【００４８】
ステップＳＢ３では、引越指示書作成部１０４は、ステップＳＢ２のソート結果のうちつぎの部屋ＩＤに対応する部屋における入口と各家財との距離を算出する。ステップＳＢ４では、引越指示書作成部１０４は、上述した動作と同様にして、距離が短い順に、当該部屋における家財ＩＤをソートする。以後、ステップＳＢ３〜ステップＳＢ５が繰り返される。
【００４９】
そして、ステップＳＢ５の判断結果が「Ｙｅｓ」になると、ステップＳＢ６では、引越指示書作成部１０４は、ステップＳＢ２のソート結果およびステップＳＢ４のソート結果に基づいて、引越元住居において玄関から近い順序で全家財に対応する家財ＩＤをソートし、搬出順序を決定し、もしくは玄関から近い順序で全部屋に対応する部屋ＩＤをソートした後、各部屋に属する家財に対応する家財ＩＤを部屋の入口に近い順序でソートし、これらを合わせて搬出順序を決定する。すなわち、引越元住居においては、玄関から近い順序で各家財が搬出される。
【００５０】
つぎに、図４に示したステップＳＡ７では、引越指示書作成部１０４は、図９に示した引越先住居図形４０４に配置された各家財図形に基づいて、引越先住居への家財の搬入順序を決定するための搬入順序決定処理を実行する。
【００５１】
具体的には、図６に示したステップＳＣ１では、引越指示書作成部１０４は、図９に示した引越先住居図形４０４における玄関４０６と各部屋の中心位置との距離をＸＹ平面座標系上でそれぞれ算出する。
【００５２】
ここで、玄関４０６の位置は、前述と同様にして、部屋情報データベース１２０（図３参照）における玄関Ｘ座標および玄関Ｙ座標で特定される。また、各部屋の中心位置は、部屋情報データベース１２０の中心Ｘ座標および中心Ｙ座標で特定される。
【００５３】
ステップＳＣ２では、引越指示書作成部１０４は、ステップＳＣ１で算出された距離が長い順に、引越先住居における部屋ＩＤをソートする。すなわち、ステップＳＣ２では、玄関から遠い順に部屋ＩＤがソートされる。
【００５４】
ステップＳＣ３では、引越指示書作成部１０４は、ステップＳＣ２のソート結果のうち最初の部屋ＩＤに対応する部屋における入口と各家財との距離を算出する。ここで、入口の位置は、前述と同様にして、部屋情報データベース１２０（図３参照）の入口Ｘ座標および入口Ｙ座標で特定される。また、家財の位置は、図９に示した引越先住居図形４０４に配置された家財図形のＸ座標およびＹ座標から特定される。
【００５５】
ステップＳＣ４では、引越指示書作成部１０４は、ステップＳＣ３で算出された距離が長い順に、当該部屋における家財ＩＤをソートする。すなわち、ステップＳＣ４では、当該部屋における入口から遠い順に家財ＩＤがソートされる。ステップＳＣ５では、引越指示書作成部１０４は、引越先住居における全部屋の処理（ステップＳＣ３およびステップＳＣ４）が終了したか否かを判断し、この場合、判断結果を「Ｎｏ」とする。
【００５６】
ステップＳＣ３では、引越指示書作成部１０４は、ステップＳＣ２のソート結果のうちつぎの部屋ＩＤに対応する部屋における入口と各家財との距離を算出する。ステップＳＣ４では、引越指示書作成部１０４は、上述した動作と同様にして、距離が長い順に、当該部屋における家財ＩＤをソートする。以後、ステップＳＣ３〜ステップＳＣ５が繰り返される。
【００５７】
そして、ステップＳＣ５の判断結果が「Ｙｅｓ」になると、ステップＳＣ６では、引越指示書作成部１０４は、ステップＳＣ２のソート結果およびステップＳＣ４のソート結果に基づいて、引越先住居において玄関から遠い順序で全家財に対応する家財ＩＤをソートし、搬入順序を決定し、もしくは玄関から遠い順序で全部屋に対応する部屋ＩＤをソートした後、各部屋に属する家財に対応する家財ＩＤを部屋の入口に遠い順序でソートし、これらを合わせて搬入順序を決定する。すなわち、引越先住居においては、玄関から遠い順序で各家財が搬入される。
【００５８】
図４に示したステップＳＡ８では、引越指示書作成部１０４は、ステップＳＡ６で決定された搬出順序、ステップＳＡ７で決定された搬入順序に基づいて、図１０に示した引越指示書５００を作成する。
【００５９】
この引越指示書５００の左側には、引越元住居における搬出順序、家財および当該家財が配置された部屋に関する情報を備えている。この搬出順序においては、引越元住居の玄関から近い順序で家財が効率的に搬出される。
【００６０】
一方、引越指示書５００の右側には、引越先住居における搬入順序、家財および当該家財を配置すべき部屋に関する情報を備えている。この搬入順序においては、引越先住居の玄関から遠い順序で家財が効率的に搬入される。
【００６１】
ステップＳＡ９では、引越指示書作成部１０４は、引越指示書５００（図１０参照）や、家財配置画面４００のハードコピーを印刷装置１５０で印刷するという印刷処理を実行する。そして、引越の当日においては、引越指示書５００や、家財配置画面４００のハードコピーに基づいて、引越元住居から家財が搬出順序通りに搬出された後、引越先住居へ搬入順序通りに家財が搬入される。
【００６２】
以上説明したように、一実施の形態によれば、家財情報入力画面２００（図７参照）で家財情報を、部屋情報入力画面３００（図８参照）で引越元住居および引越先住居におけるそれぞれの部屋構成に関する部屋情報を入力させ、引越元住居および引越先住居のそれぞれについて、家財配置画面４００（図９参照）で家財の配置をシミュレートした結果に基づいて、引越元住居からの家財の搬出順序、引越先住居への家財の搬入順序を決定することとしたので、引越作業員の熟練度に左右されることなく引越における家財の搬出や搬入を効率的に行うことができる。
【００６３】
以上本発明にかかる一実施の形態について図面を参照して詳述してきたが、具体的な構成例はこの一実施の形態に限られるものではなく、本発明の要旨を逸脱しない範囲の設計変更等があっても本発明に含まれる。
【００６４】
例えば、前述した一実施の形態においては、引越支援装置１００、表示装置１３０、入力装置１４０、印刷装置１５０の機能を実現するためのプログラムを図１１に示したコンピュータ読み取り可能な記録媒体７００に記録して、この記録媒体７００に記録されたプログラムを同図に示したコンピュータ６００に読み込ませ、実行することにより各機能を実現してもよい。
【００６５】
同図に示したコンピュータ６００は、上記プログラムを実行するＣＰＵ（Central Processing Unit）６１０と、キーボード、マウス等の入力装置６２０と、各種データを記憶するＲＯＭ６３０と、演算パラメータ等を記憶するＲＡＭ６４０と、記録媒体７００からプログラムを読み取る読取装置６５０と、ディスプレイ、プリンタ等の出力装置６６０と、装置各部を接続するバス６７０とから構成されている。
【００６６】
ＣＰＵ６１０は、読取装置６５０を経由して記録媒体７００に記録されているプログラムを読み込んだ後、プログラムを実行することにより、前述した機能を実現する。なお、記録媒体７００としては、光ディスク、フレキシブルディスク、ハードディスク等が挙げられる。
【００６７】
（付記１）コンピュータを、
引越時に搬送すべき家財に関する家財情報を入力させる家財情報入力ステップ、
引越元住居および引越先住居におけるそれぞれの部屋構成に関する部屋情報を入力させる部屋情報入力ステップ、
前記引越元住居および前記引越先住居のそれぞれについて、前記家財の配置をシミュレートする家財配置ステップ、
前記シミュレートの結果に基づいて、前記引越元住居からの家財の搬出順序、前記引越先住居への家財の搬入順序を決定する順序決定ステップ、
として機能させるための引越支援プログラム。
（付記２）前記順序決定ステップでは、玄関と家財との距離に基づいて、前記搬出順序および前記搬入順序を決定することを特徴とする付記１に記載の引越支援プログラム。
（付記３）前記順序決定ステップでは、前記引越元住居の玄関と家財との距離が近い順序で前記搬出順序を決定し、前記引越先住居の玄関と家財との距離が遠い順序で前記搬入順序を決定することを特徴とする付記２に記載の引越支援プログラム。
（付記４）前記搬出順序および前記搬入順序に基づく引越指示書を印刷する印刷ステップを備えることを特徴とする付記１〜３のいずれか一つに記載の引越支援プログラム。
（付記５）前記印刷ステップでは、前記シミュレートの結果も印刷することを特徴とする付記４に記載の引越支援プログラム。
（付記６）引越時に搬送すべき家財に関する家財情報を入力させる家財情報入力手段と、
引越元住居および引越先住居におけるそれぞれの部屋構成に関する部屋情報を入力させる部屋情報入力手段と、
前記引越元住居および前記引越先住居のそれぞれについて、前記家財の配置をシミュレートする家財配置手段と、
前記シミュレートの結果に基づいて、前記引越元住居からの家財の搬出順序、前記引越先住居への家財の搬入順序を決定する順序決定手段と、
を備えたことを特徴とする引越支援装置。
（付記７）引越時に搬送すべき家財に関する家財情報を入力させる家財情報入力工程と、
引越元住居および引越先住居におけるそれぞれの部屋構成に関する部屋情報を入力させる部屋情報入力工程と、
前記引越元住居および前記引越先住居のそれぞれについて、前記家財の配置をシミュレートする家財配置工程と、
前記シミュレートの結果に基づいて、前記引越元住居からの家財の搬出順序、前記引越先住居への家財の搬入順序を決定する順序決定工程と、
を含むことを特徴とする引越支援方法。
【００６８】
【発明の効果】
以上説明したように、本発明によれば、引越元住居および引越先住居における玄関の位置、各部屋の中心位置および各部屋の入口位置を部屋情報として受け付け、受け付けた部屋情報を記憶部へ記憶させるとともに、引越元住居および引越先住居の各部屋における家財の位置を家財配置情報として受け付け、受け付けた家財配置情報を記憶部へ記憶させ、記憶部から部屋情報および家財配置情報を読み出し、部屋情報における玄関および各部屋の中心位置から求められる距離と、部屋情報における各部屋の入口位置および家財配置情報における各家財の位置から求められる距離とに基づいて家財の搬出順序および搬入順序を決定することとしたので、引越作業員の熟練度に左右されることなく引越における家財の搬出や搬入を効率的に行うことができるという効果を奏する。
【００６９】
また、本発明によれば、家財の搬出順序を決定する場合に、玄関からの距離が短い部屋に配置された家財を優先し、かつ、部屋の入口からの距離が短い位置に配置された家財を優先して搬出順序を決定することとしたので、引越作業員の熟練度に左右されることなく引越における家財の搬出を効率的に行うことができるという効果を奏する。
【００７０】
また、本発明によれば、家財の搬入順序を決定する場合に、玄関からの距離が遠い部屋に配置された家財を優先し、かつ、部屋の入口からの距離が遠い位置に配置された家財を優先して搬入順序を決定することとしのたで、引越作業員の熟練度に左右されることなく引越における家財の搬入を効率的に行うことができるという効果を奏する。
【図面の簡単な説明】
【図１】本発明にかかる一実施の形態の構成を示すブロック図である。
【図２】図１に示した家財情報データベース１１０のデータ構造を示す図である。
【図３】図１に示した部屋情報データベース１２０のデータ構造を示す図である。
【図４】同一実施の形態の動作を説明するフローチャートである。
【図５】図４に示した搬出順序決定処理を説明するフローチャートである。
【図６】図４に示した搬入順序決定処理を説明するフローチャートである。
【図７】同一実施の形態における家財情報入力画面２００を示す図である。
【図８】同一実施の形態における部屋情報入力画面３００を示す図である。
【図９】同一実施の形態における家財配置画面４００を示す図である。
【図１０】同一実施の形態における引越指示書５００を示す図である。
【図１１】同一実施の形態の変形例の構成を示すブロック図である。
【符号の説明】
１００  引越支援装置
１０２  制御部
１０３  家財配置部
１０４  搬出入指示書作成部
１０５  記憶部
１３０  表示装置
１４０  入力装置
１５０  印刷装置
【図１】
0003989273.tif 000002
【図２】
0003989273.tif 000003
【図３】
0003989273.tif 000004
【図４】
0003989273.tif 000005
【図５】
0003989273.tif 000006
【図６】
0003989273.tif 000007
【図７】
0003989273.tif 000008
【図８】
0003989273.tif 000009
【図９】
0003989273.tif 000010
【図１０】
0003989273.tif 000011
【図１１】
0003989273.tif 000012